(57)【要約】【課題】係止状態の掛止片を外部からでは内側に入るようにスライドさせ得ず、確実に係止状態を確保する。【解決手段】ドアＤに固定されるケーシング２にスライド可能に設けられたラッチ部材４と、ラッチ部材４をスライドさせるハンドル６と、ハンドル操作をロック状態とロック解除状態とに外側から操作されるロック手段８と、ロック手段８の操作によりラッチ部材４の入りスライドを防止する第１状態とラッチ部材４の出入りスライドを許容する第２状態とに可変されるスライド防止・許容手段（４４と７）とを有し、ロック手段８は、ハンドル操作をロックするロック位置と、ハンドル操作を可能にする解除位置との間で位置変更可能なロック部材８１と、ロック部材８１がロック位置に位置するときにスライド防止・許容手段を第１状態に、解除位置に位置するときにスライド防止・許容手段を第２状態に操作する操作片８５とを有する。【選択図】図１
2008038406.tif 000002
【特許請求の範囲】
【請求項１】
ドアに固定されるケーシングと、
端部に設けた掛止片を外方へ突出し得るよう上記ケーシングにスライド可能に設けられたラッチ部材と、
上記ケーシングに、上記ラッチ部材をスライドさせて上記掛止片の出入れ操作を行うように設けられたハンドルと、
上記ハンドル操作をロックする状態とロック解除する状態とのいずれかに外側から操作されるロック手段と、
上記ロック手段の操作により、上記掛止片の外方へ突出した状態を保持すべくラッチ部材の入りスライドを防止する第１状態とラッチ部材の出入りスライドを許容する第２状態とに可変されるスライド防止・許容手段とを有し、
上記ロック手段は、ハンドルに対し干渉してハンドル操作をロックするロック位置と、上記干渉が解除されることによりハンドル操作を可能にする解除位置との間で位置変更可能なロック部材と、そのロック部材が上記ロック位置に位置するときに上記スライド防止・許容手段を第１状態に、一方ロック部材が上記解除位置に位置するときに上記スライド防止・許容手段を第２状態に操作する操作片とを有することを特徴とするドア開閉装置。
【請求項２】
請求項１に記載のドア開閉装置において、
前記ラッチ部材を前記掛止片がケーシングの外方へ突出するように押圧付勢するスプリングを有することを特徴とするドア開閉装置。
【請求項３】
請求項１または２に記載のドア開閉装置において、
前記スライド防止・許容手段を前記第１状態から前記第２状態へ変更することと、前記ラッチ部材を入りスライドさせることを、前記ドアの内側からの操作により実行させる非常開ドア機構を備えることを特徴とするドア開閉装置。
【請求項４】
請求項３に記載のドア開閉装置において、
前記スライド防止・許容手段は、前記ラッチ部材のドア内部側に設けられた係止部と、前記ケーシングに設けられ、ドア寄り側とその反対側に変位可能であって、反対側への変位に伴って上記係止部に係合して第１状態とし、上記ドア寄り側への変位に伴って上記係止部との係合を解除して第２状態とする被係止部材とを有し、
前記非常開ドア機構は、上記ラッチ部材と連結されていて、前記操作片の操作により上記第１状態となっているとき、揺動することにより上記被係止部材を上記ドア寄り側へ変位させて上記第２状態にするとともに上記ラッチ部材を入りスライドさせるカムと、このカムをドア内側から揺動させる棒部材を挿入する、ドアに設けられた操作孔とを有することを特徴とするドア開閉装置。
【請求項５】
請求項４に記載のドア開閉装置において、
前記非常開ドア機構は、前記ラッチ部材とカムとに対して設けられていてカムの揺動開始からラッチ部材の入りスライドを遅延させる遅延手段を有し、
上記遅延手段は、カムとラッチ部材のうちの一方に円弧状長孔が、他方にピン取付孔がそれぞれ設けられ、長孔とピン取付孔にわたって前記ピンが挿入されていて、前記棒部材によりカムが揺動駆動されると上記長孔の分だけ遅れてラッチ部材を入りスライドさせる構成となっていることを特徴とするドア開閉装置。
【発明の詳細な説明】
【技術分野】
【０００１】
本発明は、冷蔵庫のドア等への使用が好適なドア開閉装置に関するものである。
【背景技術】
【０００２】
大型の冷蔵庫には、ドア側に設けられたスライド可能なラッチ部材の端部に設けた掛止片をハンドル操作により出入れして、固定枠体側に設けられた掛止部材に対して係止または解除するための掛止装置に加えて、係止操作用のハンドルを動かないようにロックすることによって閉止されたドアが開かないようにするロック装置が付加されているドア開閉装置が設けられる。特に業務用の大型の冷蔵庫においては、人が無断で庫内に入り込むと危険であるため、および庫内の冷蔵品の盗難を防止するため、ロック装置が付設されているのが一般的である。
【０００３】
かかるロック装置として、ドアが閉じられた状態でキーをキー孔に差し込み、キー操作を行うことでハンドルが動かないロック状態にする一方、キーを逆操作することによって上記ロック状態を解除するように機能する構成のものが知られている（例えば特許文献１参照）。
【特許文献１】特開２００１−４９９１４号公報
【発明の開示】
【発明が解決しようとする課題】
【０００４】
ところで、上記のようなロック装置による場合には、ロック状態になっているとハンドル操作ができないものの、掛止装置のラッチ部材を外部から無理矢理にスライドさせることで、掛止片を突出状態から没入状態にして掛止片の係止を解いてドアを開状態にし、これによりロック装置が有効に機能しないという虞がある。
【０００５】
本発明は、上記のような問題点を解決するためになされたものであり、係止状態の掛止片を外部からでは内側に入るようにスライドさせ得ず、確実に係止状態を確保することができるドア開閉装置を提供することを目的とする。
【課題を解決するための手段】
【０００６】
本発明の請求項１に記載のドア開閉装置は、ドアに固定されるケーシングと、端部に設けた掛止片を外方へ突出し得るよう上記ケーシングにスライド可能に設けられたラッチ部材と、上記ケーシングに、上記ラッチ部材をスライドさせて上記掛止片の出入れ操作を行うように設けられたハンドルと、上記ハンドル操作をロックする状態とロック解除する状態とのいずれかに外側から操作されるロック手段と、上記ロック手段の操作により、上記掛止片の外方へ突出した状態を保持すべくラッチ部材の入りスライドを防止する第１状態とラッチ部材の出入りスライドを許容する第２状態とに可変されるスライド防止・許容手段とを有し、上記ロック手段は、ハンドルに対し干渉してハンドル操作をロックするロック位置と、上記干渉が解除されることによりハンドル操作を可能にする解除位置との間で位置変更可能なロック部材と、そのロック部材が上記ロック位置に位置するときに上記スライド防止・許容手段を第１状態に、一方ロック部材が上記解除位置に位置するときに上記スライド防止・許容手段を第２状態に操作する操作片とを有することを特徴とする。
【０００７】
本発明の請求項２に記載のドア開閉装置は、請求項１に記載のドア開閉装置において、前記ラッチ部材を前記掛止片がケーシングの外方へ突出するように押圧付勢するスプリングを有することを特徴とする。
【０００８】
本発明の請求項３に記載のドア開閉装置は、請求項１または２に記載のドア開閉装置において、前記スライド防止・許容手段を前記第１状態から前記第２状態へ変更することと、前記ラッチ部材を入りスライドさせることを、前記ドアの内側からの操作により実行させる非常開ドア機構を備えることを特徴とする。
【０００９】
本発明の請求項４に記載のドア開閉装置は、請求項３に記載のドア開閉装置において、前記スライド防止・許容手段は、前記ラッチ部材のドア内部側に設けられた係止部と、前記ケーシングに設けられ、ドア寄り側とその反対側に変位可能であって、反対側への変位に伴って上記係止部に係合して第１状態とし、上記ドア寄り側への変位に伴って上記係止部との係合を解除して第２状態とする被係止部材とを有し、前記非常開ドア機構は、上記ラッチ部材と連結されていて、前記操作片の操作により上記第１状態となっているとき、揺動することにより上記被係止部材を上記ドア寄り側へ変位させて上記第２状態にするとともに上記ラッチ部材を入りスライドさせるカムと、このカムをドア内側から揺動させる棒部材を挿入する、ドアに設けられた操作孔とを有することを特徴とする。
【００１０】
本発明の請求項５に記載のドア開閉装置は、請求項４に記載のドア開閉装置において、前記非常開ドア機構は、前記ラッチ部材とカムとに対して設けられていてカムの揺動開始からラッチ部材の入りスライドを遅延させる遅延手段を有し、上記遅延手段は、カムとラッチ部材のうちの一方に円弧状長孔が、他方にピン取付孔がそれぞれ設けられ、長孔とピン取付孔にわたって前記ピンが挿入されていて、前記棒部材によりカムが揺動駆動されると上記長孔の分だけ遅れてラッチ部材を入りスライドさせる構成となっていることを特徴とする。
【発明の効果】
【００１１】
本発明の請求項１記載のドア開閉装置によれば、ロック手段を外側から操作してロック部材を解除位置に位置させると、ハンドル操作がロック解除されるとともに、操作片が
スライド防止・許容手段を、ラッチ部材の出入りスライドを許容する第２状態にする。よってハンドル操作によりラッチ部材をスライドさせて掛止片の出入れが可能となり、ドアを開閉することができる。一方、ロック手段を外側から操作してロック部材をロック位置に位置させると、ハンドル操作がロック状態にされるとともに、操作片がスライド防止・許容手段を、ラッチ部材の入りスライドを防止する第１状態にする。よって、ハンドルが操作できず、しかも掛止片が外方へ突出した係止状態に保持され、ドアを閉じた状態に保持させ得る。そして、このドアが閉じた状態において、スライド防止・許容手段が、ラッチ部材の入りスライドを防止する第１状態になっているので、係止状態の掛止片を外部からでは内側に入るようにスライドさせ得ず、確実に係止状態を確保することができる。
【００１２】
本発明の請求項２記載のドア開閉装置によれば、スプリングにより掛止片がケーシングの外側へ突出するようにラッチ部材を押圧付勢する構成となっていても、スライド防止・許容手段が、ラッチ部材の入りスライドを防止する第１状態になっているので、前同様に係止状態の掛止片を外部からでは内側に入るようにスライドさせ得ず、確実に係止状態を確保することができる。
【００１３】
本発明の請求項３記載のドア開閉装置にあっては、スライド防止・許容手段を第１状態から第２状態へ変更することと、ラッチ部材を入りスライドさせることを、ドアの内側から非常開ドア機構を操作することにより実行させることができる。よって、ハンドルがロック状態とされているとき、閉状態のドアの内側に人が入っていても、ドアの内側から非常開ドア機構を操作することで、スライド防止・許容手段を第１状態から第２状態へ変更し、ラッチ部材を入りスライドさせると、非常時にドアを開けることができる。
【００１４】
本発明の請求項４記載のドア開閉装置によれば、被係止部材がドア寄り側へ変位すると係止部との係合が解除され、スライド防止・許容手段がラッチ部材の出入りスライドを許容する第２状態になる。一方、被係止部材が反対側へ変位すると係止部に係合する状態、つまりスライド防止・許容手段がラッチ部材の入りスライドを防止する第１状態になる。そして、この第１状態において、ドアの内側から棒部材を操作孔より挿入してカムを揺動させ被係止部材をドア寄り側へ変位させることでスライド防止・許容手段を第２状態にすることができる。よって、ハンドルがロック状態とされ、かつドアが閉状態になっていても、ドアの内側からの棒部材の操作でドアを容易に開けることができる。そして、このドア開閉装置を、例えば冷蔵庫に適用することにより、従来頻発していた冷蔵庫内への閉じ込め事故を確実に防止することができる。
【００１５】
本発明の請求項５記載のドア開閉装置によれば、ドアの内側から棒部材によりカムを揺動駆動させると、遅延手段の長孔の分だけ遅れてラッチ部材が入りスライドすることになる。換言すると、カムを揺動駆動させて被係止部材を係止部に対して非係止状態とした後に、ラッチ部材を入りスライドさせることができる。よって、被係止部材と係止部との間に遊びを持たせておかなくても両者が引っ掛かること無しにラッチ部材の入りスライドが可能な状態でドアを開けることができる。なお、遅延時間は長孔の長さにより調整し得る。
【発明を実施するための最良の形態】
【００１６】
以下に本発明を具体的に説明する。
【００１７】
（第１実施形態）
図１は、本発明に係るドア開閉装置の第１実施形態を示す分解斜視図であり、図２は、図１のドア開閉装置の組み立て斜視図である。また、図３は、図２のＩＩＩ−ＩＩＩ線断面図であり、ハンドルをロックした状態を示す。図４は図３に対応する部分の断面図であり、ハンドルロックを解除した状態を示す。なお、これらの図において、Ｘ−Ｘ方向を幅方向、Ｙ−Ｙ方向を前後方向、Ｚ−Ｚ方向を上下方向といい、特に−Ｘ方向を左方、＋Ｘ方向を右方、−Ｙ方向を前方、＋Ｙ方向を後方、−Ｚ方向を下方、＋Ｚ方向を上方という。
【００１８】
この第１実施形態のドア開閉装置１は、冷蔵庫のドアＤ（図２）に固定されるケーシング２と、このケーシング２の内側に摺動可能に設けられたラッチ部材４と、上記ラッチ部材４にピン９０を介して連結されるカム５と、上記カム５を揺動させて上記ラッチ部材４を摺動させるハンドル６と、このハンドル６をロックする状態とロック解除状態のいずれかに外側から操作されるロック手段８とを備える。
【００１９】
上記ケーシング２は、ドアＤに固定するために下部の左右に設けられた取付部２１と、前方に設けられた前面壁２２と、前面壁２２の後側に幅方向で対向するように設けられた一対の側壁２３とを有する。取付部２１は幅方向両側に設けられているものの、図１および図２には右方のみ表れている。上記前面壁２２にはラッチ部材４の先端側の掛止片４１を外方（前方）に突出させるための切欠き孔２２ａが設けられ、両側壁２３の間の隙間２３ａにはハンドル６が装着される。
【００２０】
また、ケーシング２は、底部が開口していて、その底部にはドアＤとの間に挟持した状態で底蓋３が取付けられる。この底蓋３には、上方に突出した凸部３１と操作孔３２とが設けられ、凸部３１が操作孔３２よりも前側に配されている。凸部３１の前側にはコイルスプリング３３の後端に挿入する突起３１ａが形成されている。一方、凸部３１の後側には上方から見てコの字状の案内部３１ｂが形成されている。凸部３１と操作孔３２との間には後述する被係止部材７が取付けられる。
【００２１】
底蓋３とケーシング２との内側には、ラッチ部材４およびカム５が設けられる。ラッチ部材４の先端側には、上述した掛止片４１が設けられていて、その掛止片４１の下側には円弧状に形成された湾曲部４１ａが形成されている。ラッチ部材４の後端側には下側に切欠部４２が設けられ、その切欠部４２の下面は、切欠部４２と湾曲部４１ａとの間の平滑な下面４３に対して一定寸法だけ上方に位置する。よって、下面４３と切欠部４２との境界には係止部としての段差４４が形成されている。また、ラッチ部材４の後部には、カム５を挟むように一対の対向片４５が形成され、各対向片４５のそれぞれにはピン取付孔４５ａが設けられている。そして、これらピン取付孔４５ａに対し、カム５の下部に設けたピン取付孔５１を位置合わせし、これらピン取付孔４５ａ、５１には前記ピン９０が挿着される。これによりラッチ部材４とカム５とが連結される。
【００２２】
一対の対向片４５の間には凸部３１が位置するようになっていて、凸部３１の前側に形成された突起３１ａに後端が挿入されたコイルスプリング３３の前端が掛止片４１の後側に当接し（図３、図４参照）、コイルスプリング３３が掛止片４１を前方に突出させる押圧付勢力をラッチ部材４に付与する。上記コイルスプリング３３としては、図示例では二重に重なったものを使用しているが、一重のものでもよい。
【００２３】
上記カム５は、ケーシング２の前記隙間２３ａに装着されるハンドル６の内側に上部５２を挿入した状態でケーシング２の内部に取付けられる。このことをより詳細に説明する。ハンドル６は、その長手方向のほぼ全長にわたり下面に凹部６１が形成されていて（図３および図４参照）、その凹部６１にカム５の上部５２を挿入し、ケーシング２の両側壁２３のそれぞれに設けたピン取付孔２３ｂと、ハンドル６に設けたピン取付孔６２と、カム５の上部５２に設けたピン取付孔５３との位置を合わせ、これらピン取付孔２３ｂ、６２、５３にピン９１を挿着することで、ケーシング２の内部に取付けられる。
【００２４】
このように取付けられるカム５とハンドル６は、図３および図４に示すようにピン９１を軸として揺動可能である。加えて、ハンドル６の内側上面６３にカム５の上面５４が接触しているので、ハンドル６の後端側に設けた把持部６４を上方に引き矢印方向にハンドル６を揺動させると、カム５も同じ角度分だけ揺動する。その後、ハンドル６の把持部６４から手を離すと、コイルスプリング３３の押圧付勢力により掛止片４１が前方に突出するようにラッチ部材４をスライドさせ、これによりカム５とハンドル６が元の状態に戻るとともに、掛止片４１が、冷蔵庫の固定枠体Ｈに設けた掛止部材Ｆに掛止めされ、ドアＤは閉とされる。
【００２５】
一方、ハンドル６の内側上面６３に接触するカム５の上面５４がピン９１よりも前側に位置するように形成されているので、ハンドル６を一定角度に保持したままカム５のみをピン９１の回りに揺動できる。その揺動は、カム５の後端部５５を上方に押し上げることで可能となる。その押し上げは、例えばドアＤに設けた操作孔Ｇおよび底蓋３に設けた操作孔３２から棒部材１１０、例えば鉛筆やボールペンなどの硬質の棒状部材を挿入してカム５を揺動させることで可能となる。そして、カム５の揺動を受けて、ピン９０を介して連結されたラッチ部材４が前後方向にスライドする。このとき、ピン取付孔４５ａとピン取付孔５１とのうち少なくとも片方、図３ではピン取付孔４５ａの直径をピン９０の直径よりも大きく形成しておくことが好ましい。つまり、カム５の揺動によりピン取付孔５１が上下方向に変位しても、ラッチ部材４を支障なくスライドさせ得る。なお、棒部材１１０としては、鉛筆やボールペンに限らず、ドライバーの先端部分や釘などの棒状部材や、専用に作製したものでもよい。
【００２６】
更に、ケーシング２の内側には、前記ロック手段８が設けられている。ロック手段８は、ケーシング２の内部に設けられた凹溝２４に前後方向へスライド可能に嵌め込まれるロック部材８１と、このロック部材８１をケーシング２の天井に取付けるねじ８２と、ロック部材８１とケーシング２の天井との間にロック部材８１のスライドを可能にするための隙間を形成するコイルばね８３と、図示しないキーにより回転操作されるシリンダ錠８４と、ロック部材８１の後側に一体に設けられた下向きに長い操作片８５とを有する。
【００２７】
ロック部材８１には、前側に前後方向に長い長孔８１ｂが、後側に幅方向に長い長孔８１ａが形成されている。長孔８１ｂには、下側からねじ８２がケーシング２の天井に達する状態で取付けられていて、ロック部材８１とケーシング２の天井との間には、コイルばね８３が、その内部にねじ８２を挿入した状態で設けられ、これによりロック部材８１とケーシング２の天井との間に形成される隙間によりロック部材８１のスライドを可能にしている。一方、長孔８１ａには、シリンダ錠８４の下面側に突出し図示しないキーの回転に伴って回転する凸部８４ａが挿入されていて、上記キーの回転によりロック部材８１を前後方向にスライドさせる。このロック部材８１のスライドにより操作片８５も一緒に前後方向へスライドする。
【００２８】
ロック部材８１が後端位置にあるとき（図３参照）、その後端位置は、ハンドル６の前端６５がロック部材８１に干渉してハンドル６の操作をロックするロック位置に相当する。一方、ロック部材８１が前端位置にあるとき（図４参照）、ハンドル６を操作しても、その前端６５がロック部材８１に干渉しないので、上記前端位置はハンドル６の操作を可能するロック解除位置に相当する。
【００２９】
なお、ハンドル６を操作しない場合は、ケーシング２の両側壁２３のそれぞれに設けたピン取付孔２３ｃと、ハンドル６に設けたピン取付孔６３とを位置合わせし、これらピン取付孔２３ｃ、６３にピン９２を挿着すればよい。
【００３０】
図５は上記底蓋３に前記被係止部材７を取付けた状態を示す正面図、図６はその平面図である。
【００３１】
被係止部材７は、例えば弾性を有する金属板を加工して一体に形成されたもので、後側に固定部７１が、その前側に高さ変更部７２が形成され、高さ変更部７２の前側には被案内部７３が形成されている。高さ変更部７２は、固定部７１を水平にして底蓋３にビス７７により固定した状態で、前端部７４が上方に浮いてラッチ部材４の切欠部４２の下面に接触するか或いは前記下面４３よりも上方に位置する傾斜状態になるように設計されている。よって、この傾斜状態において、ラッチ部材４を後退、つまり入りスライドさせると、前端部７４がラッチ部材４の段差４４に引っ掛かり、入りスライドを防止する第１状態となる。このとき、段差４４に引っ掛かることにより被係止部材７に変形が生じ難くするために被案内部７３は案内部３１ｂの内側で案内されるように設計されている。
【００３２】
一方、高さ変更部７２に下向きの力を付与し、前端部７４を下面４３よりも低くすると、前端部７４が段差４４に引っ掛からず、出入りスライドを許容する第２状態となる。つまり、被係止部材７と段差（係止部）４４とは、スライド防止・許容手Ａとして機能する（図５参照）。
【００３３】
上記被案内部７３は、上記傾斜状態において高さ変更部７２よりも傾斜が急な傾斜角度を有する上面７３ａと、その上面７３ａの幅方向両端から下へ垂れ下がった側面７３ｂとを備える。側面７３ｂは上面７３ａの変形を防止する機能を有する。
【００３４】
上記操作片８５は、ロック部材８１がロック解除位置（前端位置）にあるとき（図４参照）、操作片８５の下部８５ａが上面７３ａを下側へ押し付ける。一方、ロック位置（後端位置）にあるとき（図３参照）、下部８５ａが上面７３ａから離れ、高さ変更部７２は上記傾斜状態になる。
【００３５】
上記高さ変更部７２に下向きの力を作用させる手段としては、本実施形態では、高さ変更部７２の中央部に上側に若干突出させて形成した突起７５と、図３に示すようにカム５の周面に突出形成され、上記突起７５を下方に押し付ける押し付け部５６とを有する第１手段と、被案内部７３を下方に押し付ける操作片８５を有する第２手段とが設けられている。なお、上記第１手段と第２手段とを作用させる時期については、以下のドアの開閉操作内容において説明する。
【００３６】
このように構成された本実施形態に係るドア開閉装置１がドアＤに取付けられた場合におけるドアの開閉操作内容につき説明する。
【００３７】
図４に示すように、ロック手段８のロック部材８１をロック解除位置（前端位置）にセットすると、ハンドル６の前端６５がロック部材８１に干渉しない状態になる。これによりハンドル６は操作が可能な状態になるとともに、操作片８５が前側に位置して被案内部７３を下方に押し付ける。つまり、上記第２手段が作用する状態になる。
【００３８】
このように被案内部７３が下方に押し付けられることにより、前端部７４が下面４３よりも低くなって、前端部７４が段差４４に引っ掛からず、被係止部材７と段差４４とを有するスライド防止・許容手段Ａは、ラッチ部材４の出入りスライドを許容する第２状態となる。この第２状態においては、ハンドル６の操作が可能であるため、ドアＤの開閉を自由に行うことができる。この開閉に際し、ドアＤを開状態から閉状態にするとき、前記湾曲部４１ａを介して掛止片４１が掛止部材Ｆにより内側に入るように押され、ハンドル６の操作を必要としない。
【００３９】
これに対し、ロック手段８のシリンダ錠８４にキーを挿入して回し、ロック部材８１をロック位置（後端位置）にセットすると、ハンドル６の前端６５がロック部材８１に干渉する状態になる。これによりハンドル６は操作を行うことができないロック状態になる。このようなロック状態において、ドアＤを開けるとき、ドアＤに設けた操作孔Ｇおよび底蓋３に設けた操作孔３２に対し、図３に示すようにドアＤの内側から前記棒部材１１０を挿入してドアＤの外側へ向いた力Ｊを付与することによりカム５を矢印方向に揺動させ、カム５の押し付け部５６にて高さ変更部７２の突起７５を下方に押し付ける。つまり、第１手段を作用させて第２状態にする。そして、カム５の揺動に伴ってラッチ部材４が後側へ引っ張られ、つまり入りスライドし、掛止片４１が冷蔵庫の掛止部材Ｆから外れる。上記棒部材１１０、カム５の押し付け部５６および被係止部材７の突起７５は非常開ドア機構Ｂを構成する。上記押し付け部５６および突起７５は、前端部７４の上を段差４４が後側に通過するまで高さ変更部７２を下方に押し付けるように設計されている。そして、掛止片４１が冷蔵庫の掛止部材Ｆから外れるとき、前記棒部材１１０には、カム５を揺動させるための力、つまりドアＤの外側へ向いた力Ｊを付与しているので、その力ＪによりドアＤは開とされる。よって、ハンドル６がロック状態に保持されたドアの内側に人が入っていても、ドアＤの内側から前記非常開ドア機構Ｂを操作することで、スライド防止・許容手段Ａを第１状態から第２状態へ変更し、ラッチ部材４を入りスライドさせると、非常時にドアＤを開けることができる。
【００４０】
しかる後、棒部材１１０を操作孔３２から抜くと、ラッチ部材４がコイルスプリング３３の押圧付勢力により前側へスライドし、掛止片４１が前方に突出するとともにカム５が逆方向に揺動して元の状態に戻る。
【００４１】
したがって、この第１実施形態による場合には、ロック手段８のシリンダ錠８４を外側からキー操作してロック部材８１をロック解除位置に位置させると、ハンドル６の操作がロック解除されるとともに、操作片８５がスライド防止・許容手段Ａを、ラッチ部材４の出入りスライドを許容する第２状態にする。よってハンドル６の操作によりラッチ部材４をスライドさせて掛止片４１の出入れが可能となり、ドアＤを開閉することができる。一方、ロック手段８のシリンダ錠８４を外側からキー操作してロック部材８１をロック位置に位置させると、ハンドル６の操作がロック状態にされるとともに、操作片８５がスライド防止・許容手段Ａを、ラッチ部材４の入りスライドを防止する第１状態にする。よって、掛止片４１が外方へ突出し、かつハンドル６が操作できないロック状態に保持され、ドアＤを閉じた状態に保持させ得る。そして、このドアＤが閉じた状態において、スライド防止・許容手段Ａが、ラッチ部材４の入りスライドを防止する第１状態になっているので、係止状態における掛止片４１を外部からでは内側に入るようにスライドさせ得ず、確実に係止状態を確保することができる。
【００４２】
また、第１実施形態において、上記第１状態において、ドアＤの内側から前記棒部材１１０を操作孔Ｇ、３２より挿入してカム５を揺動させることにより、被係止部材７の高さ変更部７２をドアＤ寄り側へ変位させるとスライド防止・許容手段Ａを第２状態にすることができる。よって、ドアＤが閉状態になっていても、非常開ドア機構Ｂを用い、つまりドアＤの内側からの棒部材１１０の操作でドアＤを容易に開けることができる。そして、このドア開閉装置１を、例えば冷蔵庫に適用することにより、従来頻発していた冷蔵庫内への閉じ込め事故を確実に防止することができる。
【００４３】
（第２実施形態）
図７は本発明の第２実施形態に係るドア開閉装置を示す正面断面図、図８はそのドア開閉装置の要部を示す平面図である。
【００４４】
この第２実施形態のドア開閉装置１Ａは、非常開ドア機構が第１実施形態と異なる構成となっており、非常開ドア機構以外の箇所は第１実施形態と同一構成となっている。
【００４５】
第２実施形態のドア開閉装置１Ａは、第１実施形態のカム５に代えて、カム５Ａと揺動部材９５とを備える。揺動部材９５は、ハンドル６の操作によりラッチ部材４を出入りスライドさせるものであって、ピン取付孔９６に取付けたピン９１を中心として揺動する。この揺動部材９５とラッチ部材４とは、ラッチ部材４のピン取付孔４５ａと揺動部材９５のピン取付孔９７にピン９０を取付けることで連結されている。この揺動部材９５には前記押し付け部５６が省略されている。
【００４６】
上記カム５Ａは、ハンドル６の操作がロックされた状態でドアＤを開にするという非常時にラッチ部材４を入りスライドさせるものであって、カム５Ａに設けたピン取付孔５７に前記ピン９１を挿着することにより、揺動部材９５と同様にピン９１を中心として揺動するようになっている。このカム５Ａの下部には、円弧状長孔５８が形成されていて、この長孔５８には上記ピン９０が取付けられている。つまり、このピン９０を介して、カム５Ａと揺動部材９５とラッチ部材４とが連結されている。
【００４７】
上記カム５Ａは、揺動部材９５を挟む状態で設けられた一対のカム片９９、１００を有し、これらカム片９９、１００は金属板を加工したもので、前記ピン取付孔５７と、前記長孔５８と、後下側に相手側の揺動片へ向けて折曲げた折曲げ部９９ａ、１００ａとを備える。
【００４８】
これらカム片９９、１００は、上記折曲げ部９９ａ、１００ａが重なる状態で、ピン９０に揺動可能に支持されており、周面には被係止部材７の突起７５を下方に押し付ける押し付け部９９ｂ、１００ｂが形成されている。この押し付け部９９ｂ、１００ｂと突起７５とは、非常開ドア機構Ｂ'を構成する。また、円弧状長孔５８の曲率半径は、揺動部材９５のピン取付孔９６の中心とピン取付孔９７の中心との間の距離と同一寸法に設定されている。なお、図８中の１０１はラッチ部材４の対向片４５とカム片９９、１００との隙間を調整するためのスペーサである。
【００４９】
次に、この第２実施形態のドア開閉装置の開閉動作につき図９〜図１２に基づき説明する。
【００５０】
図９はロック手段８のロック部材８１にハンドル６の先端６５が干渉しないロック解除の状態を示す図で、図１０〜図１２はロック部材８１にハンドル６の先端６５が干渉したロック状態を示す図である。
【００５１】
図９のロック解除状態においては、ロック部材８１にハンドル６の先端６５が干渉しないためハンドル６の操作が可能であり、また操作片８５の下部８５ａが被案内部７３の上面７３ａを下方に押し下げてラッチ部材４の段差４４が被係止部材７の前端部７４の上を通過し得る状態になっているので、ハンドル６の操作により揺動部材９５を揺動させることができ、これに伴いラッチ部材４が出入りスライドな第２状態にさせ得る。よって、ドアＤを開け閉めできる。
【００５２】
一方、図１０のロック状態においては、ロック部材８１が図９に示す状態から後側にスライドし、ロック部材８１にハンドル６の先端６５が干渉しているため、ハンドル６を操作することができない。つまり、ハンドル６の操作によりドアＤを開け閉めできない。また、上述したようにロック部材８１の後方スライドに伴い、下部８５ａによる上面７３ａの押し下げ量が少ないか或いは押し下げない状態となっているため、ラッチ部材４の段差４４が被係止部材７の前端部７４に当たってラッチ部材４の入りスライドが防止された第１状態となっている。この場合において、ドアＤを開けるために、図１０および図１１に示すように、ドアＤの内側から前記棒部材１１０を操作孔Ｇ、３２より挿入してカム５Ａを揺動させる。これにより、カム５Ａの押し付け部９９ｂ、１００ｂが被係止部材７の突起７５を下側へ押し付けてドア寄り側へ変位させ、スライド防止・許容手段Ａ（第１実施形態と同じ構成）が第１状態からラッチ部材４を入りスライドさせ得る状態（第２状態）になる。上記押し付け部９９ｂ、１００ｂは、被係止部材７の前端部７４の上をラッチ部材４の段差４４が後側に通過するまで高さ変更部７２を下方に押し付けるように周面に沿って所定長さ形成しておくことで、スライド防止・許容手段Ａを第２状態に保持させ得る。
【００５３】
そして、ラッチ部材４を入りスライドさせ得る状態（第２状態）になった後、カム５Ａの更なる揺動に伴って長孔５８の前側端部５８ａにピン９０が当たるようになると、図１２に示すように、前記棒部材１１０の更なる押し込みにより、つまりカム５Ａの更なる揺動により、ラッチ部材４が入りスライドする（このラッチ部材４の入りスライドにより揺動部材９５が揺動する。）。上記長孔５８とピン取付孔４５ａとピン９０とは、カム５Ａの揺動開始から長孔５８の長さ分だけ遅れてラッチ部材４を入りスライドさせる、つまりカム５Ａを揺動駆動させて被係止部材７の前端部７４が係止部である段差４４に引っ掛からない非係止の状態になった後に、ラッチ部材４を入りスライドさせる遅延手段Ｃを構成する。
【００５４】
そして、上述したラッチ部材４の入りスライドにより、ドアＤが閉状態で施錠されても、ドアＤの内側からの棒部材の操作でドアＤを容易に開けることができる。また、このドア開閉装置１Ａを、例えば冷蔵庫に適用することにより、従来頻発していた冷蔵庫内への閉じ込め事故を確実に防止することができる。
【００５５】
したがって、この第２実施形態による場合には、上記遅延手段Ｃを有するので、被係止部材７（前端部７４）と係止部（段差４４）との間に遊びを持たせておかなくても、両者が引っ掛かること無しにラッチ部材４の入りスライドを行わせることが可能になる。
【００５６】
なお、上述した第２実施形態においてはカムに円弧状長孔を、ラッチ部材にピン取付孔をそれぞれ設けているが、本発明はこれに限らない。例えば、逆にカムにピン取付孔を、ラッチ部材に円弧状長孔をそれぞれ設けてもよく、同様の効果が得られる。
【００５７】
また、第２実施形態においても第１実施形態と同様に、揺動部材９５の揺動によりピン取付孔５１が上下方向に変位しても、ラッチ部材４を支障なくスライドさせ得るように、ピン取付孔４５ａとピン取付孔５１とのうちの少なくとも片方の直径（ピン取付孔５１が円弧状長孔の場合は大径半径と小径半径との差）を大きく形成しておくことが好ましい。
【００５８】
更に、上述した第１、第２実施形態ではスライド防止・許容手段Ａとして、カムに設けた押し付け部５６（９９ａ、１００ａ）で被係止部材７の突起７５を下側に押し付ける構成としているが、本発明はこれに限らない。例えば被係止部材７の突起７５は省略してもよい。
【図面の簡単な説明】
【００５９】
【図１】本発明に係るドア開閉装置の第１実施形態を示す分解斜視図である。
【図２】図１のドア開閉装置の組み立て斜視図である。
【図３】図２のＩＩＩ−ＩＩＩ線断面図であり、ハンドルをロックした状態を示す。
【図４】図３に対応する部分の断面図であり、ハンドルロックを解除した状態を示す。
【図５】底蓋に被係止部材を取付けた状態を示す正面図である。
【図６】図５の平面図である。
【図７】本発明の第２実施形態に係るドア開閉装置を示す正面断面図である。
【図８】図７のドア開閉装置の要部を示す平面図である。
【図９】ロック手段のロック部材にハンドルの先端が干渉しないロック解除の状態を示す図である。
【図１０】ロック部材にハンドルの先端が干渉したロック状態を示す図であり、カムの揺動前の状況を示す。
【図１１】ロック部材にハンドルの先端が干渉したロック状態を示す図であり、カムを少し揺動させた状況を示す。
【図１２】ロック部材にハンドルの先端が干渉したロック状態を示す図であり、揺動部材の揺動によりラッチ部材が入りスライドした状況を示す。
【符号の説明】
【００６０】
１、１Ａ    ドア開閉装置
２    ケーシング
４    ラッチ部材
４１    掛止片
５、５Ａ    カム
６    ハンドル
７    被係止部材（スライド防止・許容手段Ａ）
８    ロック手段
３３    コイルスプリング
４４    段差（係止部：スライド防止・許容手段Ａ）
５８    円弧状長孔
８１    ロック部材
８５    操作片
９５    揺動部材
Ｂ、Ｂ'    非常開ドア機構
Ｃ    遅延手段
Ｄ    冷蔵庫のドア
Ｇ    操作孔
【図１】
2008038406.tif 000003
【図２】
2008038406.tif 000004
【図３】
2008038406.tif 000005
【図４】
2008038406.tif 000006
【図５】
2008038406.tif 000007
【図６】
2008038406.tif 000008
【図７】
2008038406.tif 000009
【図８】
2008038406.tif 000010
【図９】
2008038406.tif 000011
【図１０】
2008038406.tif 000012
【図１１】
2008038406.tif 000013
【図１２】
2008038406.tif 000014